(57)【要約】【課題】従来技術の表示装置では、外部機器からの表示仕様と表示装置の表示仕様を正しく合わせるための設定操作が必要であり、正しく表示されない場合には何が原因で表示できないのか分からない問題があった。また、複数の表示仕様に対応するためには、ＥＤＩＤ情報を記憶したＥＥＰＲＯＭを表示仕様の数だけ備える必要があった。【解決手段】表示可能な表示仕様を複数のＥＤＩＤ情報として記憶する記憶手段と、前記ＤＶＩ端子から入力される信号から映像信号の表示仕様を検出する検出手段と、前記検出手段で検出された前記表示仕様に対応するＥＤＩＤ情報が前記記憶手段に記憶された前記の複数のＥＤＩＤ情報から選択されて記憶される書替可能不揮発性メモリと、前記書替可能不揮発性メモリに記憶されたＥＤＩＤ情報を外部機器が前記ＤＶＩ端子を介して読み取る際に前記書替可能不揮発性メモリを前記ＤＶＩ端子に接続する選択回路とを備える。【選択図】図１
2007206598.tif 000002
【特許請求の範囲】
【請求項１】
ＤＶＩ端子を具備し前記ＤＶＩ端子から入力された映像信号をもとに映像表示する表示装置において、
表示可能な表示仕様を複数のＥＤＩＤ情報として記憶する記憶手段と、
前記ＤＶＩ端子から入力される信号から映像信号の表示仕様を検出する検出手段と、
前記検出手段で検出された前記表示仕様に対応するＥＤＩＤ情報が前記記憶手段に記憶された前記の複数のＥＤＩＤ情報から選択されて記憶される書替可能不揮発性メモリと、
前記書替可能不揮発性メモリに記憶されたＥＤＩＤ情報を外部機器が前記ＤＶＩ端子を介して読み取る際に前記書替可能不揮発性メモリを前記ＤＶＩ端子に接続する選択回路とを備えたことを特徴とする表示装置。
【請求項２】
表示可能な表示仕様を複数のＥＤＩＤ情報として記憶する前記記憶手段はフラッシュメモリであることを特徴とする請求項１に記載の表示装置。
【請求項３】
前記書替可能不揮発性メモリはＥＥＰＲＯＭであることを特徴とする請求項１又は請求項２のいずれかに記載の表示装置。
【請求項４】
前記記憶手段に記憶されたＥＤＩＤ情報に対応する表示仕様が前記検出手段で検出されなかったとき表示不可能である旨のＯＳＤ表示を行うＯＳＤ表示手段を備えたことを特徴とする請求項１乃至請求項３のいずれか一項に記載の表示装置。
【請求項５】
前記検出手段で検出された表示仕様に対応するＥＤＩＤ情報が前記書替可能不揮発性メモリに記憶された後にホットプラグ検出信号を前記ＤＶＩ端子から送出するホットプラグ検出信号送出手段を備えたことを特徴とする請求項１乃至請求項４のいずれか一項に記載の表示装置。
【請求項６】
前記検出手段の検出結果に基づき映像信号のチャンネルを選択する手段を備えたことを特徴とする請求項１乃至請求項５のいずれか一項に記載の表示装置。
【請求項７】
前記検出手段の検出結果に基づきＯＳＤ表示の表示内容を変更する手段を備えたことを特徴とする請求項１乃至請求項６のいずれか一項に記載の表示装置。
【請求項８】
ＤＶＩ端子から入力された映像信号をもとに表示装置の表示仕様を切り替える表示仕様切り替え方法において、
表示可能な表示仕様を複数のＥＤＩＤ情報として記憶手段に記憶する第１工程と、
前記ＤＶＩ端子から入力される信号から映像信号の表示仕様を検出する第２工程と、
前記第２工程で検出された前記表示仕様に対応するＥＤＩＤ情報を前記記憶手段に記憶された前記の複数のＥＤＩＤ情報から選択して書替可能不揮発性メモリに記憶する第３工程と、
前記ＤＶＩ端子に接続された外部機器に前記書替可能不揮発性メモリに記憶されたＥＤＩＤ情報の読み取り指示信号を送出する第４工程
を備えたことを特徴とする表示仕様切り替え方法。
【請求項９】
前記ＤＶＩ端子に接続された外部機器が前記書替可能不揮発性メモリに記憶されたＥＤＩＤ情報を読み取る第５工程と、
前記書替可能不揮発性メモリに記憶されたＥＤＩＤ情報に応じた信号が外部機器から前記ＤＶＩ端子に入力される第６工程と
を備えたことを特徴とする請求項８に記載の表示仕様切り替え方法。
【請求項１０】
前記第２工程で検出された表示仕様が前記ＥＤＩＤ情報として前記記憶手段に記憶されているか否かを判断する第７工程と、
前記第６工程で否と判断されたとき表示不可能な表示仕様の映像信号が入力されている旨のＯＳＤ表示をする第８工程を備えたことを特徴とする請求項８又は請求項９のいずれかに記載の表示仕様切り替え方法。
【発明の詳細な説明】
【技術分野】
【０００１】
本発明は、表示装置、及び表示仕様切り替え方法に係り、特に外部機器を表示装置にＤＶＩケーブルで接続したときに、外部機器と表示装置の映像表示仕様を自動的に一致させることができる表示装置、及び表示仕様切り替え方法に関する。
【背景技術】
【０００２】
パソコンやビデオ機器などの外部機器を映像表示装置の外部に接続し、外部機器から送られた映像信号により当該映像表示装置で映像表示することが一般に行われているが、この場合、映像表示装置と外部機器との表示フォーマットや表示周波数などの表示仕様が異なると正常な状態で映像表示できない、あるいは全く映らないなどの不具合を生じることがある。
【０００３】
この不具合を解決するため、映像表示装置内部に表示装置の表示仕様情報（以下ＥＤＩＤ（Extended Display Identification）情報という）を記憶しておき、ＤＤＣ（Display Data Channel）通信機能を利用して外部機器にこのＥＤＩＤ情報を送り、このＥＤＩＤ情報を外部機器が読み取り、表示仕様を表示装置に対応したものとすることが行われている。これは通常プラグアンドプレイ方式と言われている。このようにすれば、映像表示装置と外部機器との表示仕様を合わせることができるため、正常な状態で映像表示できる。
【０００４】
例えば、特許文献１にはユーザが表示装置の表示状態をマニュアル変更したとき、表示装置の表示仕様に関るときにはＥＤＩＤ情報と製品固有ＩＤを更新するようにして、外部に接続されたパソコンが電源投入されたとき表示装置の表示仕様がＥＤＩＤ情報として取り出すことができる。これにより外部パソコンと表示装置との表示仕様を一致させることができるようになっている。
【０００５】
上記特許文献１に記載されたＥＤＩＤ情報は、１つの表示装置の表示仕様を書替可能メモリに記憶するものであるが、図３に示すように、複数の表示装置の表示仕様に対応したＥＤＩＤ情報を複数の不揮発性メモリに記憶しておき、複数の表示仕様に対応できるようにしたテレビ受像機なども市販されている。
【０００６】
図３を参照してこの従来技術について以下説明する。
【０００７】
図３において、１は表示装置である。
【０００８】
２は表示装置１側にＤＶＩ（Digital Visual Interface）端子３を持つＤＶＩケーブルである（ＤＶＩ端子３はＤＶＩケーブル２側がプラグ、表示装置１側がレセプタクルとなる）。ＤＶＩはＤＤＷＧ（Digital Display Working Group）が規格制定したデジタルインターフェイスである。ＤＶＩ仕様にはＤＶＩ−Ｄ、ＤＶＩ−Ｉがあり、それぞれデジタル専用、デジタルとアナログ兼用の仕様となっている。したがってＤＶＩ端子３からはデジタルＡＶ（ＤＶＩ出力端子付きビデオ機器などとの接続形態であり、以下デジタルＡＶという）、アナログＡＶ（アナログコンポーネント（色差）出力端子つきビデオ機器などとの接続形態であり、以下デジタルＡＶという）、デジタルＰＣ（ＤＶＩ出力端子付きＰＣとの接続形態であり、以下デジタルＰＣという）、アナログＰＣ（ＲＧＢ出力端子付きＰＣとの接続形態であり、以下アナログＰＣという）など複数のデータフォーマットの信号が入力可能となっている。ここで、末尾のＡＶはテレビ系で使用される５２５ｉ、５２５ｐ、１０８１ｉ、７２０ｐなどの信号を含み、また末尾のＰＣはパソコン系で使用されるＶＧＡ、ＸＧＡ、ＳＸＧＡなどの規格による信号を含むものである（ＸＧＡは登録商標）。
【０００９】
４はアナログデジタル変換器（ＡＤＣ）である。また、５はＴＭＤＳレシーバＩＣ（ＴＭＤＳ  ＲＸ  ＩＣ）である。また、６は選択回路である。
【００１０】
ＡＤＣ４はＤＶＩ端子３から入力されたアナログ映像信号をデジタル映像信号に変換して選択回路６に出力する。また、ＴＭＤＳ ＲＸ５はＤＶＩ端子から入力されたＴＭＤＳ（Transition Minimized Differential Signaling） ＳＴＲＥＡＭを受信してデジタル映像信号とデジタル入力同期信号を選択回路６に出力する。ＴＭＤＳ ＳＴＲＥＡＭにはＲＧＢ信号（上記デジタル映像信号）のシリアルデータと、ＲＧＢ信号をデコードするためのクロック信号（上記デジタル入力同期信号）が含まれる。
【００１１】
７は映像信号処理部であり、選択回路６で選択された映像信号を入力して映像処理し、液晶表示パネルなどに画像を表示する。
【００１２】
２２乃至２５は不揮発性メモリであり、デジタルＡＶ、アナログＡＶ、デジタルＰＣ、アナログＰＣなどの接続形態に対応した表示仕様がＥＤＩＤ情報として不揮発性メモリ２２乃至２５にそれぞれ記憶されている。
【００１３】
２１は選択回路であり、デジタルＡＶ、アナログＡＶ、デジタルＰＣ、アナログＰＣなどの接続形態の表示仕様に対応して切り替え選択が行われる。例えばデジタルＡＶが選択されているときは不揮発性メモリ２２が選択されてＩ２Ｃバスを通してＤＶＩ端子３に接続される。同様に、アナログＡＶが選択されているときは不揮発性メモリ２３が選択されてＩ２Ｃ（Inter Integrated Circuit）バスを通してＤＶＩ端子３に接続され、デジタルＰＣが選択されているときは不揮発性メモリ２４が選択されてＩ２Ｃバスを通してＤＶＩ端子３に接続され、アナログＰＣが選択されているときは不揮発性メモリ２５が選択されてＩ２Ｃバスを通してＤＶＩ端子３に接続される。
【００１４】
８は表示装置１全体を制御する制御回路部であり、マイクロコンピュータを含んだ制御回路となっている。制御回路部８は、入力映像信号の表示仕様に関してユーザが選択を行うときは映像信号処理部７に指令して選択メニュー画面をＯＳＤ表示させる。また、ユーザがＯＳＤ表示された選択メニュー画面に従ってデジタルＡＶ、アナログＡＶ、デジタルＰＣ、アナログＰＣなどからそのいずれかを選択すると、制御回路部８はそれに対応して不揮発性メモリ２２乃至２５を選択するように選択回路６、２１に選択指令信号を出力する。
【００１５】
このように、ユーザが選択メニュー画面で入力映像信号の種別選択を行うと、それに対応して表示装置内の選択回路６、２１が切り替わり、外部機器１５から入力された映像信号を画像として正しく表示させることができる。
【特許文献１】特開２０００−１９４３４６号公報
【発明の開示】
【発明が解決しようとする課題】
【００１６】
上記従来技術の表示装置では、外部機器からの表示仕様と表示装置の表示仕様を正しく合わせるためのマニュアル設定操作が必要であり、設定操作が面倒である上、正しく表示されない場合には設定が間違っているのか、当該表示装置では表示できない表示フォーマットや表示周波数でデータが入力されているのか、外部機器あるいは表示装置が故障しているのかなどの区別ができない問題がある。
【００１７】
また、複数の表示仕様に対応するためには、ＥＤＩＤ情報を記憶した不揮発性メモリを表示仕様の数だけ備える必要があった。
【００１８】
本発明の目的は、上記問題点に鑑み、外部機器１５から入力される映像信号の表示仕様にあわせて表示装置の表示仕様を自動的に設定することを可能にし、また、ＥＤＩＤ情報を記憶した不揮発性メモリの数を削減して安価な表示装置を提供することにある。
【課題を解決するための手段】
【００１９】
本発明の表示装置は、ＤＶＩ端子を具備し前記ＤＶＩ端子から入力された映像信号をもとに映像表示する表示装置において、表示可能な表示仕様を複数のＥＤＩＤ情報として記憶する記憶手段と、前記ＤＶＩ端子から入力される信号から映像信号の表示仕様を検出する検出手段と、前記検出手段で検出された前記表示仕様に対応するＥＤＩＤ情報が前記記憶手段に記憶された前記の複数のＥＤＩＤ情報から選択されて記憶される書替可能不揮発性メモリと、前記書替可能不揮発性メモリに記憶されたＥＤＩＤ情報を外部機器が前記ＤＶＩ端子を介して読み取る際に前記書替可能不揮発性メモリを前記ＤＶＩ端子に接続する選択回路とを備えたことを特徴とする。
また、本発明の表示装置は、表示可能な表示仕様を複数のＥＤＩＤ情報として記憶する前記記憶手段はフラッシュメモリであることを特徴とする。
また、本発明の表示装置は、前記書替可能不揮発性メモリはＥＥＰＲＯＭであることを特徴とする。
また、本発明の表示装置は、前記記憶手段に記憶されたＥＤＩＤ情報に対応する表示仕様が前記検出手段で検出されなかったとき表示不可能である旨のＯＳＤ表示を行うＯＳＤ表示手段を備えたことを特徴とする。
また、本発明の表示装置は、前記検出手段で検出された表示仕様に対応するＥＤＩＤ情報が前記書替可能不揮発性メモリに記憶された後にホットプラグ検出信号を前記ＤＶＩ端子から送出するホットプラグ検出信号送出手段を備えたことを特徴とする。
また、本発明の表示装置は、前記検出手段の検出結果に基づき映像信号のチャンネルを選択する手段を備えたことを特徴とする。
また、本発明の表示装置は、前記検出手段の検出結果に基づきＯＳＤ表示の表示内容を変更する手段を備えたことを特徴とする。
また、本発明の表示仕様切り替え方法は、ＤＶＩ端子から入力された映像信号をもとに表示装置の表示仕様を切り替える表示仕様切り替え方法において、表示可能な表示仕様を複数のＥＤＩＤ情報として記憶手段に記憶する第１工程と、前記ＤＶＩ端子から入力される信号から映像信号の表示仕様を検出する第２工程と、前記第２工程で検出された前記表示仕様に対応するＥＤＩＤ情報を前記記憶手段に記憶された前記の複数のＥＤＩＤ情報から選択して書替可能不揮発性メモリに記憶する第３工程と、前記ＤＶＩ端子に接続された外部機器に前記書替可能不揮発性メモリに記憶されたＥＤＩＤ情報の読み取り指示信号を送出する第４工程を備えたことを特徴とする。
また、本発明の表示仕様切り替え方法は、前記ＤＶＩ端子に接続された外部機器が前記書替可能不揮発性メモリに記憶されたＥＤＩＤ情報を読み取る第５工程と、前記書替可能不揮発性メモリに記憶されたＥＤＩＤ情報に応じた信号が外部機器から前記ＤＶＩ端子に入力される第６工程とを備えたことを特徴とする。
また、本発明の表示仕様切り替え方法は、前記第２工程で検出された表示仕様が前記ＥＤＩＤ情報として前記記憶手段に記憶されているか否かを判断する第７工程と、前記第６工程で否と判断されたとき表示不可能な表示仕様の映像信号が入力されている旨のＯＳＤ表示をする第８工程を備えたことを特徴とする。
【発明の効果】
【００２０】
本発明によれば、外部機器から入力される映像信号の表示仕様にあわせて表示装置の表示仕様を自動的に設定することが可能となり、また、ＥＤＩＤ情報を記憶した不揮発性メモリの数を削減して安価な表示装置を提供できる。
【発明を実施するための最良の形態】
【００２１】
次に、本発明を実施するための最良の形態を、図面を参照して具体的に説明する。
【００２２】
図１は本発明を適用した表示装置の実施の形態であり、その制御構成図を示したものである。
【００２３】
図１において、１は本発明が適用された表示装置であり、具体的には外部機器から映像信号を入力して映像表示することができるテレビ受像機や各種ディスプレイモニタである。
【００２４】
２は表示装置１側にＤＶＩ端子３を持つＤＶＩケーブルである（ＤＶＩ端子３はＤＶＩケーブル２側がプラグ、表示機側がレセプタクルとなる）。ＤＶＩ端子３からはデジタルＡＶ（ＤＶＩ出力端子付きビデオ機器などとの接続形態）、アナログＡＶ（アナログコンポーネント（色差）出力端子つきビデオ機器などとの接続形態）、デジタルＰＣ（ＤＶＩ出力端子付きＰＣとの接続形態）、アナログＰＣ（ＲＧＢ出力端子付きＰＣとの接続形態）などの接続形態で複数種の表示フォーマットや表示周波数などの信号が入力可能となっている。
【００２５】
４はアナログデジタル変換器（ＡＤＣ）である。また、５はＴＭＤＳレシーバＩＣ（ＴＭＤＳ  ＲＸ  ＩＣ）である。また、６は選択回路であり、入力されている映像信号の表示仕様に応じて映像信号を選択（チャンネル選択）し、映像信号処理部７に出力する。
【００２６】
ＡＤＣ４はＤＶＩ端子３から入力されたアナログ映像信号をデジタル映像信号に変換して選択回路６に出力する。また、ＴＭＤＳレシーバＩＣ５はＤＶＩ端子から入力されたＴＭＤＳ ＳＴＲＥＡＭを受信してデジタル映像信号とデジタル入力同期信号を選択回路６に出力する。ＴＭＤＳ ＳＴＲＥＡＭにはＲＧＢ信号（上記デジタル映像信号）のシリアルデータと、ＲＧＢ信号をデコードするためのクロック信号（上記デジタル入力同期信号）が含まれる。
【００２７】
７は選択回路６で選択された映像信号を入力して映像処理し、液晶表示パネルなどに画像を表示する。
【００２８】
８は表示装置全体を制御する制御回路部であり、マイクロコンピュータを含む。
【００２９】
９は記憶手段（フラッシュメモリ）であり、デジタルＡＶ、アナログＡＶ、デジタルＰＣ、アナログＰＣなどの接続形態に対応するＥＤＩＤ情報が記憶されている。
【００３０】
１１はＥＥＰＲＯＭ（Electrically Erasable and Programmable Read Only Memory）などの書替可能不揮発性メモリであり、ＤＶＩ端子から入力された映像信号に対応するＥＤＩＤ情報が記憶手段９から読み出されて書き込まれる。
【００３１】
１０は選択回路であり、ＤＶＩ端子３、制御回路部８、及び書替可能不揮発性メモリ１１がＩ２Ｃバスで接続されている。選択回路１０は制御回路部８からの選択指令信号により、書替可能不揮発性メモリ１１がＤＶＩ端子３または制御回路部８に選択的に接続される。
【００３２】
１２は検出回路であり、ＤＶＩ端子から入力されたアナログ入力同期信号とデジタル入力同期信号を入力して、ＤＶＩ端子に入力されている映像信号がデジタルＡＶ、アナログＡＶ、デジタルＰＣ、アナログＰＣのいずれの接続形態によって入力された信号であるかを検出して、その検出結果を制御回路部８に出力する。
【００３３】
制御回路部８は、ＤＶＩ端子３のホットプラグ検出（Hot Plug Detect）端子を介して外部機器１５へ接続されており、書替可能不揮発性メモリ１１のＥＤＩＤ情報を外部機器１５で読み取り開始させる場合にホットプラグ検出信号を送出する。また、制御回路部８はＯＳＤ表示信号を映像信号処理部７に送り、種々のメニュー画面をＯＳＤ表示したり、ＤＶＩ端子から入力されている映像信号の検出結果をＯＳＤ表示したりする。例えばＤＶＩ端子３から入力されている映像信号が当該表示装置で対応不可能な表示仕様であるときには、その旨をＯＳＤ表示してユーザに注意を喚起することができる。
【００３４】
次に、このように構成された表示装置１の動作を、図２のフローチャートを参照して説明する。
【００３５】
まず、ステップＳ１において、外部機器１５からＤＶＩケーブル２、ＤＶＩ端子３を通して、任意にフォーマットされた映像信号が入力されているとする。
【００３６】
ステップＳ２において、検出回路１２はＤＶＩ端子３から入力されている映像信号のデータが、デジタルＡＶ、アナログＡＶ、デジタルＰＣ、アナログＰＣのいずれの接続形態（表示仕様）で入力されているデータであるかを、アナログ入力同期信号、デジタル入力同期信号を調べて検出する。アナログ入力同期信号、デジタル入力同期信号は上記接続形態に特有な信号内容となっているので、いずれの接続形態であり、どのような表示仕様になっているかが検出できる。
【００３７】
次に、ステップＳ３において、検出回路１２は、上記検出された結果を制御回路部（ＣＰＵ）８に連絡する。
【００３８】
上記検出結果を受け取った制御回路部（ＣＰＵ）８は、ステップＳ４において、ステップＳ２で検出された表示仕様に対応するＥＤＩＤ情報がフラッシュメモリ９に記憶されているかをチェックする。
【００３９】
ステップＳ４において、検出された表示仕様に対応するＥＤＩＤのデータがフラッシュメモリ９に記憶されていると判断されたときはステップＳ５に進み、予めフラッシュメモリ９に記憶しておいた複数のＥＤＩＤ情報の中から該当のＥＤＩＤ情報を選択して取り出す。
【００４０】
次に、ステップＳ６において、制御回路部（ＣＰＵ）８は、フラッシュメモリ９より取り出したＥＤＩＤ情報をＩ２Ｃバスを介して書替可能不揮発性メモリ１１に書き込む。このとき制御回路部（ＣＰＵ）８は選択回路１０に選択信号を送り、制御回路部（ＣＰＵ）８からのＩ２Ｃバスと書替可能不揮発性メモリ１１のＩ２Ｃバスを選択的に接続する。
【００４１】
次に、ステップＳ７において、選択回路６などの設定を、ステップＳ２で検出した表示仕様に応じて映像信号のチャンネルを変更し、また、この仕様変更に関するメッセージ（接続形態、表示仕様など）をＯＳＤ表示する。また、検出した表示仕様にあったメニュー画面にするなどのＯＳＤ表示内容を変更する。
【００４２】
次に、ステップＳ８において、制御回路部（ＣＰＵ）８はホットプラグ検出信号をＤＶＩ端子のHot Plug Detect端子を介して外部機器１５に送出し、外部機器１５に対して表示装置１の表示仕様の読み取り指示を通知する。この読み取り指示を通知する際には、ＤＶＩ端子３のHot Plug Detect端子が制御電源電圧などにプルアップされハイレベルになるように制御される。また、このとき制御回路部（ＣＰＵ）８は選択回路１０に選択信号を送り、ＤＶＩ端子３からのＩ２Ｃバスと書替可能不揮発性メモリ１１のＩ２Ｃバスを選択的に接続する。
【００４３】
このように、本実施の形態では、入力されている映像信号の表示仕様に合うように表示装置内のＥＤＩＤ情報変更とこれに伴う回路変更やＯＳＤ表示内容変更が行われた後にホットプラグ検出信号が送出される。
【００４４】
制御回路部（ＣＰＵ）８からHot Plug Detect端子を介して表示装置１の表示仕様読み取り指示を通知された外部機器１５は、ステップＳ９においてＤＤＣライン（Ｉ２Ｃバスシステム）を制御して表示装置１の書替可能不揮発性メモリ１１からＥＤＩＤ情報を読み取る。
【００４５】
次に、ステップＳ１０において、外部機器１５は読み込んだＥＤＩＤに応じた表示フォーマットで映像信号を表示装置１に出力する。
【００４６】
このように、表示装置１にＤＶＩ端子３を介して外部機器１５から任意の映像信号が入力されると、表示装置１はこの映像信号から表示フォーマットを自動的に検出し、入力されている映像信号のフォーマットに合うように自己の表示仕様を自動的に変更し、更にこの仕様変更に合わせて外部機器１５からの映像信号が変更される。従って外部機器１５から任意の表示フォーマットの映像信号を送っても、表示装置１と外部機器１５との映像信号の表示フォーマットが一致し、映像が正しく表示される。この場合、表示周波数が異なっている場合でも同様に動作する。
【００４７】
また、ステップＳ４において、検出回路１２で検出された表示仕様に対応するＥＤＩＤ情報がフラッシュメモリ９に記憶されていないと判断されたときはステップＳ１１に進む。
【００４８】
ステップＳ１１において、制御回路部８は、ＤＶＩ端子３から入力されている映像信号が表示不可能な表示仕様の映像信号であることをＯＳＤ表示し本処理を終了する。
【００４９】
上記実施の形態の説明で明らかなように、外部機器１５から入力される映像信号の表示仕様にあわせて表示装置の表示仕様を自動的に設定することが可能となる。また、ＥＤＩＤ情報を記憶した書替可能不揮発性メモリ（ＥＥＰＲＯＭ）の数を削減して安価な表示装置を提供できる。また、ユーザは、映像が表示されないとき、その原因が当該表示装置では対応できない入力映像信号にある旨のＯＳＤ表示されるので、調査のための無駄な時間を費やすことがなくなる。
【００５０】
以上、本実施の形態を具体的に説明したが、表示装置１と外部機器１５との接続形態はデジタルＡＶ、アナログＡＶ、デジタルＰＣ、アナログＰＣに限定されることは無く、その他の接続形態であっても同様に実施することができる。
【００５１】
また、本発明は上記実施の形態に限定されず、発明の要旨を逸脱しない範囲で変更して実施することができる。
【産業上の利用可能性】
【００５２】
本発明は、映像信号源としての外部機器とその映像信号をもとに映像表示する表示装置の接続に対して広く利用できる。
【図面の簡単な説明】
【００５３】
【図１】本発明による実施の形態の、表示装置の具体的な制御構成の一例を示す図である。
【図２】本発明による図１に示した表示装置の動作フローチャートである。
【図３】従来技術による表示装置の制御構成図である。
【符号の説明】
【００５４】
１・・・表示装置
２・・・ＤＶＩケーブル
３・・・ＤＶＩ端子
４・・・アナログデジタル変換器（ＡＤＣ）
５・・・ＴＭＤＳレシーバＩＣ（ＴＭＤＳ  ＲＸ  ＩＣ）
６・・・選択回路
７・・・映像信号処理部
８・・・制御回路部
９・・・記憶手段（フラッシュメモリ）
１０・・・選択回路
１１・・・書替可能不揮発性メモリ（ＥＥＰＲＯＭ）
１２・・・検出回路
１５・・・外部機器
２１・・・選択回路
２２〜２５・・・不揮発性メモリ
【図１】
2007206598.tif 000003
【図２】
2007206598.tif 000004
【図３】
2007206598.tif 000005